(57)【要約】  【課題】  リレー端子と圧接タブとの最適な接触を確保する。  【解決手段】  電気接続箱１０のロアケース１１内に収容したバスバー１６から立設した、突出高さＨ１を同一とする圧接タブ１８を、アッパーケース１２に設けたリレー搭載部１３内に突出させ、リレー搭載部１３に搭載したリレー２１の端子２１ａを圧接タブ１８のスロット部１８ａに挿入して電気接続する構成とし、アッパーケース１２の外面には、リレー搭載部１３を囲む位置に高さ調整用の外周リブ１９と、該外周リブ１９の対向辺を連結する縦横ＸＹ方向の内部リブ２０ａ〜２０ｃとをリレー搭載部１３よりも高く突設し、リレー搭載部１３に搭載される多様なサイズのリレー２１の下面２１ｂに外周リブ１９および／または内部リブ２０ａ〜２０ｃのいずれかの上面が当接して、リレー２１本体を位置決め保持する構成としている。  【選択図】  図１
2005287143.tif 000002
【特許請求の範囲】
【請求項１】
電気接続箱の内部に収容したバスバーから立設したタブあるいは／および単芯線に圧接接続させた圧接端子のタブは、先端から端子挿入用のスロットを切り欠いた圧接タブとし、かつ、前記電線あるいはバスバーを載置する絶縁版からの前記圧接タブの突出高さを同一として、電気接続箱のケース外面に設けるリレー搭載部あるいはヒューズ搭載部の内部に突出させてリレーの端子あるいはヒューズの端子を前記圧接タブのスロットに挿入して電気接続する構成としており、
前記リレー搭載部を設けた前記ケース外面より、該リレー搭載部を囲む高さ調整用の外周リブと、該外周リブの対向辺を連結する縦横方向の内部リブとを突設し、横方向内部リブは縦方向に隣接する端子挿入孔の間に形成すると共に前記縦方向内部リブは前記端子挿入孔より横方向に外れた位置に形成し、
前記リレー搭載部に搭載されるリレーのサイズが相違しても、該リレーの本体の下面に前記外周リブおよび／または内部リブのいずれかの上面が当接して、該リレーの本体より突出するリレーの端子が前記圧接端子のスロット底面に突き当たることなく該圧接端子との適切な接触を確保できるようにリレー本体を位置決め保持する構成としている電気接続箱。
【発明の詳細な説明】
【技術分野】
【０００１】
本発明は、電気接続箱に関し、特に、電気接続箱の内部の収容したバスバーから突設するタブに対して、  ヒュースの端子とリレーの端子を選択的に接続できるようにするものである。
【背景技術】
【０００２】
電気接続箱の内部に収容したバスバーと、ケース外面に設けたリレー搭載部に収容したリレーの端子とを接続する一般的な構造としては、特開平８−１４９６５７号公報（特許文献１）に記載のものが知られている。即ち、図６に示すように、電気接続箱１の内部に収容したバスバー２から立設したタブをリレー接続用雄タブ２ａとし、該リレー接続用雄タブ２ａを、リレー搭載部４のキャビティ内に突出させると共に中継端子３の下部に接続し、リレー搭載部４に収容したリレー５の端子５ａは前記中継端子３の上部に接続して、中継端子３を介してバスバー２とリレー５とを接続している。
【０００３】
しかしながら、最近では、部品点数を減らし、かつ接続作業性を高めるために、図７（Ａ）に示すように、電気接続箱６の内部に収容したバスバー７から立設したタブを、先端にスロット部７ｂを切り欠いた圧接タブ７ａとし、電気接続箱６のケース外面に設けた部品搭載部６ａの内部に突出させ、該部品搭載部６ａに搭載したヒューズ８の端子８ａを、前記バスバー７の圧接タブ７ａのスロット部７ｂに直接挿入して接続している場合がある。
【０００４】
前記圧接タブ７ａは、図７（Ｂ）に示すように、ヒューズ端子８ａに代えて、リレー端子９ａに接続する場合もあり、回路設計に応じて、リレーとヒューズとに選択して接続することがある。
この場合、リレー端子９ａはヒューズ端子８ａよりも長く、一方、圧接タブ７ａの高さとスロット部７ｂの深さは短いヒューズ端子に合わせて一定寸法に設定されている。従って、この圧接タブ７ａにリレー端子９ａを挿入すると、リレー９が完全に嵌合する前に、リレー端子９ａの先端がスロット部７ｂの底部に突き当たり、リレー９の本体９ｂは不完全嵌合の状態で部品搭載部６ａの上面から浮き上がって隙間Ｓができてしまうと共に、圧接タブ７ａとリレー端子９ａとの最適な接触を確保できない問題がある。
前記した問題はバスバーから圧接タブを突出させている場合だけでなく、内部回路を電線とし、該電線に圧接端子を圧接接続させ、該圧接端子から突設した圧接タブにヒューズとリレーとを選択的に接続する場合にも発生する。
【０００５】
【特許文献１】特開平８−１４９６５７号公報
【発明の開示】
【発明が解決しようとする課題】
【０００６】
本発明は上記問題に鑑みてなされたもので、電気接続箱内に配索するバスバー等から突設した圧接タブとリレー端子とヒューズ端子とに選択的に接続する場合において、リレー端子が接続した状態においてリレー本体が安定的に搭載されるようにすることを課題としている。
【課題を解決するための手段】
【０００７】
上記課題を解決するために、本発明は、電気接続箱の内部に収容したバスバーから立設したタブあるいは／および単芯線に圧接接続させた圧接端子のタブは、先端から端子挿入用のスロットを切り欠いた圧接タブとし、かつ、前記電線あるいはバスバーを載置する絶縁版からの前記圧接タブの突出高さを同一として、電気接続箱のケース外面に設けるリレー搭載部あるいはヒューズ搭載部の内部に突出させてリレーの端子あるいはヒューズの端子を前記圧接タブのスロットに挿入して電気接続する構成としており、前記リレー搭載部を設けた前記ケース外面より、該リレー搭載部を囲む高さ調整用の外周リブと、該外周リブの対向辺を連結する縦横方向の内部リブとを突設し、横方向内部リブは縦方向に隣接する端子挿入孔の間に形成すると共に前記縦方向内部リブは前記端子挿入孔より横方向に外れた位置に形成し、前記リレー搭載部に搭載されるリレーのサイズが相違しても、該リレーの本体の下面に前記外周リブおよび／または内部リブのいずれかの上面が当接して、該リレーの本体より突出するリレーの端子が前記圧接端子のスロット底面に突き当たることなく該圧接端子との適切な接触を確保できるようにリレー本体を位置決め保持する構成としている電気接続箱を提供している。
【発明の効果】
【０００８】
本発明に係る電気接続箱によれば、リレーの形状やサイズが異なっていても、前記外周リブおよび内部リブのいずれかがリレーを保持するため、リレー搭載部の上面からリレーが浮き上がったり、圧接タブのスロット底面にリレー端子が突き当たることなく、リレー端子と圧接タブとの最適な接触状態を確保することができる。また、外周リブおよび内部リブは簡単な金型で形成できるため、低コストで汎用性の高い電気接続箱を作製することができる。
【発明を実施するための最良の形態】
【０００９】
以下、発明の実施形態を図面を参照して説明する。
図１乃至図３は、本発明の第一実施形態に係る電気接続箱１０を示し、該電気接続箱１０は、ロアケース１１内に、複数のバスバー１６（１６Ａ、１６Ｂ、１６Ｃ）を積層してなる積層回路部１５を配置し、ロアケース１１の上面開口をアッパーケース１２で閉鎖している。該アッパーケース１２の上面には、取付部品であるリレー２１を取り付けるためのリレー搭載部１３を備えている。
【００１０】
前記積層回路部１５は、導電金属板からなる複数枚のバスバー１６Ａ〜１６Ｃと、該バスバー１６Ａ〜１６Ｃ間を絶縁する複数の絶縁板１７とを交互に積層させた構造をなし、ロアケース１１内に収容固定されている。積層回路部１５においてリレー搭載部１３に対応する位置には、リレー２１への接続用に最上層に配置されたバスバー１６Ａの端部を上方へ折り曲げて複数の圧接タブ１８を立設している。この圧接タブ１８は、相手方端子を挿入するスロット部１８ａを先端から切り欠いている。また、図２に示すように、複数の圧接タブ１８はいずれも、バスバー１６Ａを搭載した絶縁板１７の表面からの突出高さＨ１を同一としている。
【００１１】
アッパーケース１２のリレー搭載部１３には、リレー２１の下面２１ｂから突出するリレー端子２１ａを受け入れる端子挿入孔１３ａを形成している。該端子挿入孔１３ａの下面側には、ロアケース１１にアッパーケース１２が嵌合した状態で、前記バスバー１６Ａに立設した圧接タブ１８を挿入収容するキャビティ１３ｂと、該圧接タブ１８を抜け止め固定する係合段部１３ｃを形成している。
【００１２】
前記圧接タブ１８はリレー搭載部１３のキャビティ１３ｂ内に挿入し、この状態で、端子挿入孔１３ａにリレー端子２１ａを挿入して圧接タブ１８のスロット部１８ａに差し込むことで、リレー２１の電気接続および取り付けがなされる。
【００１３】
リレー搭載部１３を設けたアッパーケース１２の外面には、図３にも示すように、リレー搭載部１３の周囲に、詳しくは、リレー２１をリレー搭載部１３に搭載した状態におけるリレー２１の下面２１ｂの外周縁に対応する位置に、ロの字状の外周リブ１９を突設している。また、該外周リブ１９の対向辺を連結する縦横ＸＹ方向に、内部リブ２０ａ〜２０ｃを突設している。横方向内部リブ２０ａ、２０ｂは、縦Ｙ方向に三列に並設された相隣接する端子挿入孔１３ａの間を横断させて横Ｘ方向に形成し、縦方向内部リブ２０ｃは、リレー搭載部１３よりも横Ｘ方向に外れた位置で、縦Ｙ方向の外周リブ１９よりも内側に所要寸法あけた位置に、縦Ｙ方向に形成している。
【００１４】
前記外周リブ１９と内部リブ２０ａ〜２０ｃはいずれも、図２に示すように、アッパーケース１２の外面からの突出高さＨ２を同一とし、この突出高さＨ２は、アッパーケース１２の外面からのリレー搭載部１３の突出高さＨ３よりも高くしている。詳しくは、突出高さＨ２は、図１に示すように、端子挿入孔１３ａに挿入されたリレー端子２１ａと圧接タブ１８とがキャビティ１３ｂ内で最適な接触を確保した状態における、アッパーケース１２の表面からリレー２１の下面２１ｂまでの寸法と同一に設定している。
【００１５】
前記構成の電気接続箱１０であれば、取り付け部品の搭載位置の高さ調整が可能となる。即ち、ヒューズ端子などよりも長いリレー端子２１ａをリレー搭載部１３の端子挿入孔１３ａに挿入して圧接タブ１８に接続する場合であっても、リレー搭載部１３の突出高さＨ３よりも突出量の多い前記外周リブ１９および内部リブ２０ａ〜２０ｃの上面が、リレー２１の下面２１ｂに当接してリレー２１を位置決め保持するため、リレー端子２１ａの先端が圧接タブ１８のスロット底面１８ｂに突き当たることなく、最適な接触を確保することができる。
【００１６】
また、リレー搭載部１３に搭載されるリレーのサイズや形状は一様ではないが、図３に示すように、大サイズのリレー２１のみでなく、中サイズのリレー２１’や小サイズのリレー２１”であっても、それらの下面２１ｂには、外周リブ１９および／または内部リブ２０ａ〜２０ｃのいずれかの上面が当接するため、多様な形状や大きさのリレーに対応して、リレー２１等と圧接端子１８との距離をリレー端子２１ａの長さに適した最適な距離に保つことができる。
【００１７】
図４および図５は、本発明の第二実施形態の要部を示し、積層回路体１５を、多数平行に配線した単芯線３１とバスバー１６Ｂ、１６Ｃとを積層して構成し、最上層の単芯線３１とリレー２１とを圧接端子３２を介して電気接続させている点で上記第一実施形態と相違するが、その他の構成は第一実施形態と同一であるため同一符号を付して説明を省略する。
【００１８】
前記圧接端子３２は、上部に、リレー端子２１ａを挿入して接続する上スロット部３２ａを上端から切り欠いた圧接タブを備えると共に、下部には、単芯線３１を挿入して接続する下スロット部３２ｂを下端から切り欠いている。該スロット部３２ｂの内周は圧接刃３２ｃとして、圧接した際に単芯線３１の絶縁被覆３１ａを切り裂いて芯線３１ｂと接触できる構成としている。また、いずれの圧接端子３２も高さＨ４を同一としている。
【００１９】
前記のように単芯線３１と圧接接続した圧接端子３２の上スロット部３２ａを、アッパーケース１２のリレー搭載部１３のキャビティ１３ｂに挿入し、一方の端子挿入孔１３ａからキャビティ１３ｂ内に挿入したリレー端子２１ａを上スロット部３２ａに挿入して、単芯線３１とリレー２１とを電気接続している。
【００２０】
本実施形態においても、リレー２１の下面２１ｂに外周リブ１９および／または内部リブ２０ａ〜２０ｃのいずれかの上面が当接して位置決め保持することにより、リレー端子２１ａの先端が圧接端子３２の上スロット部３２ａの底部に突き当たることなく、リレー端子２１ａと圧接端子３２との最適な接触状態を確保することができる。
【図面の簡単な説明】
【００２１】
【図１】本発明の第一実施形態に係る電気接続箱を示す要部断面図である。
【図２】図１に示す電気接続箱を分解した状態の断面図である。
【図３】図１の電気接続箱のリレー搭載部と、多様な形状のリレーを搭載した状態を示す部分平面図である。
【図４】本発明の第二実施形態に係る電気接続箱を示す要部断面図である。
【図５】図４に示す圧接端子と単芯線との接続構造を示す拡大斜視図である。
【図６】従来例の図である。
【図７】他の従来例を示す図である。
【符号の説明】
【００２２】
１０  電気接続箱
１２  アッパーケース
１３  リレー搭載部
１３ａ  端子挿入孔
１６（１６Ａ〜１６Ｃ）  バスバー
１８  圧接タブ
１８ａ  スロット部
１９  外周リブ
２０ａ、２０ｂ  横方向内部リブ
２０ｃ  縦方向内部リブ
２１、２１’、２１”  リレー
２１  リレー端子
３１  単芯線
３２  圧接端子
【図１】
2005287143.tif 000003
【図２】
2005287143.tif 000004
【図３】
2005287143.tif 000005
【図４】
2005287143.tif 000006
【図５】
2005287143.tif 000007
【図６】
2005287143.tif 000008
【図７】
2005287143.tif 000009